【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
読取対象物を識別するための読取対象物識別情報と、画像形成装置において利用可能な機能を示す権限情報とを対応づけて記憶する権限情報記憶手段を備える認証サーバと、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置とが通信可能に接続された情報処理システムであって、
前記画像形成装置は、
前記読取手段によって読み取られた読取対象物の読取対象物識別情報を前記認証サーバに送信する読取対象物識別情報送信手段と、
前記読取対象物識別情報送信手段で前記読取対象物識別情報を送信することで、前記画像形成装置の機能を利用可能とするための前記権限情報を受信する権限情報受信手段と、
前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、
前記画像形成装置のログインに際して、前記権限情報受信手段で受信した権限情報に基づいて、前記画像形成装置の機能を利用可能に設定する権限情報設定手段と
を備え、
前記認証サーバは、
前記読取対象物識別情報送信手段によって送信された読取対象物識別情報を受信する読取対象物識別情報受信手段と、
前記読取対象物識別情報受信手段によって受信した読取対象物識別情報に対応する前記権限情報を前記権限情報記憶手段から取得する権限情報取得手段と、
前記読取対象物識別情報受信手段によってユーザが所有する読取対象物の前記読取対象物識別情報と、当該読取対象物識別情報とは異なる読取対象物識別情報とを受信した場合、前記権限情報取得手段によって取得されたそれぞれの権限情報に基づいて、前記画像形成装置に設定するための前記権限情報を生成する権限情報生成手段と、
前記権限情報生成手段によって生成された権限情報を前記画像形成装置に送信する権限送信手段と
を備え、
前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする情報処理システム。
【請求項２】
前記画像形成装置は、
前記権限情報登録手段によって前記権限履歴記憶手段に登録された前記権限情報の有効期限の入力を受け付ける有効期限受付手段と、
前記有効期限受付手段によって入力を受け付けた有効期限を過ぎた場合に、前記権限情報登録手段によって前記権限履歴記憶手段に登録された前記権限情報を前記権限履歴記憶手段から削除する権限削除手段とを更に備えることを特徴とする請求項１に記載の情報処理システム。
【請求項３】
前記権限情報記憶手段は、更に当該読取対象物を所有するユーザが承認者か否かを示す承認者情報を対応づけて記憶し、
前記画像形成装置は、
前記ユーザが所有する読取対象物の読取対象物識別情報と、前記権限情報受信手段によって受信した前記権限情報とを対応づけて前記権限履歴記憶手段に登録することを許可すべく、前記読取手段によって読み取られた承認者であるユーザの読取対象物の読取対象物識別情報を前記認証サーバに送信する承認者識別情報送信手段を更に備え、
前記権限情報登録手段は、前記承認者識別情報送信手段によって前記読取対象物識別情報を送信することで、前記権限情報記憶手段に記憶された承認者情報に基づいて承認者であるという結果を前記認証サーバから受信すると、前記ユーザが所有する読取対象物の読取対象物識別情報と、前記権限情報受信手段によって受信した前記権限情報とを対応づけて前記権限履歴記憶手段に登録することを特徴とする請求項１または２に記載の情報処理システム。
【請求項４】
前記認証サーバは、
前記読取対象物識別情報受信手段によって受信した読取対象物識別情報が１つであった場合に、前記読取手段で前記受信した読取対象物識別情報に対応する読取対象物とは異なる読取対象物の読取対象物識別情報の読み取りを前記画像形成装置に対して要求する追加読取要求手段を更に備え、
前記読取手段は、前記追加読取要求手段によって読取対象物の読み取りを要求された場合には、追加の読取対象物の読み取りを受け付けることを特徴とする請求項１乃至３のいずれか１項に記載の情報処理システム。
【請求項５】
前記認証サーバは、
前記読取対象物識別情報送信手段によって送信されたユーザが所有する読取対象物の読取対象物識別情報が前記権限情報記憶手段に記憶されている場合に、認証成功を示す認証結果を前記画像形成装置に送信する認証結果送信手段を更に備え、
前記画像形成装置は、
前記認証結果送信手段によって送信された認証結果を受信すると、前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする請求項１乃至４のいずれか１項に記載の情報処理システム。
【請求項６】
前記読取対象物識別情報受信手段によってユーザが所有する読取対象物の前記読取対象物識別情報とは異なる読取対象物識別情報を持つ読取対象物は、前記画像形成装置において利用可能な機能を追加するための読取対象物であることを特徴とする請求項１乃至５に記載の情報処理システム。
【請求項７】
読取対象物を識別するための読取対象物識別情報と、画像形成装置において利用可能な機能を示す権限情報とを対応づけて記憶する権限情報記憶手段を備える認証サーバと通信可能に接続され、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置であって、
前記読取手段によって読み取られた読取対象物の読取対象物識別情報を前記認証サーバに送信する読取対象物識別情報送信手段と、
前記読取対象物識別情報送信手段で前記読取対象物識別情報を送信することで、前記画像形成装置の機能を利用可能とするための前記権限情報を受信する権限情報受信手段と、
前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、
前記画像形成装置のログインに際して、前記権限情報受信手段で受信した権限情報に基づいて、前記画像形成装置の機能を利用可能に設定する権限情報設定手段と
を備え、
前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする画像形成装置。
【請求項８】
読取対象物を識別するための読取対象物識別情報と、画像形成装置において利用可能な機能を示す権限情報とを対応づけて記憶する権限情報記憶手段を備える認証サーバと、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置とが通信可能に接続された情報処理システムの制御方法であって、
前記画像形成装置の読取対象物識別情報送信手段が、前記読取手段によって読み取られた読取対象物の読取対象物識別情報を前記認証サーバに送信する読取対象物識別情報送信ステップと、
前記画像形成装置の権限情報受信手段が、前記読取対象物識別情報送信ステップで前記読取対象物識別情報を送信することで、前記画像形成装置の機能を利用可能とするための前記権限情報を受信する権限情報受信ステップと、
前記画像形成装置の権限情報登録手段が、前記読取対象物識別情報送信ステップでユーザが所有する読取対象物の前記読取対象物識別情報と、当該読取対象物識別情報とは異なる読取対象物識別情報とを送信することで生成された前記権限情報を前記権限情報受信ステップによって受信した場合に、前記ユーザが所有する読取対象物の読取対象物識別情報と、前記権限情報受信ステップによって受信した前記権限情報とを対応づけて前記権限履歴記憶手段に登録する権限情報登録ステップと、
前記画像形成装置の権限情報設定手段が、前記画像形成装置のログインに際して、前記権限情報受信ステップで受信した権限情報に基づいて、前記画像形成装置の機能を利用可能に設定する権限情報設定ステップと、
前記認証サーバの読取対象物識別情報受信手段が、前記読取対象物識別情報送信ステップによって送信された読取対象物識別情報を受信する読取対象物識別情報受信ステップと、
前記認証サーバの権限情報取得手段が、前記読取対象物識別情報受信ステップによって受信した読取対象物識別情報に対応する前記権限情報を前記権限情報記憶手段から取得する権限情報取得ステップと、
前記認証サーバの権限情報生成手段が、前記読取対象物識別情報受信ステップによってユーザが所有する読取対象物の前記読取対象物識別情報と、当該読取対象物識別情報とは異なる読取対象物識別情報とを受信した場合、前記権限情報取得ステップによって取得されたそれぞれの権限情報に基づいて、前記画像形成装置に設定するための前記権限情報を生成する権限情報生成ステップと、
前記認証サーバの権限送信手段が、前記権限情報生成ステップによって生成された権限情報を前記画像形成装置に送信する権限送信ステップと
を備え、
前記権限情報設定ステップは、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする情報処理システムの制御方法。
【請求項９】
読取対象物を識別するための読取対象物識別情報と、画像形成装置において利用可能な機能を示す権限情報とを対応づけて記憶する権限情報記憶手段を備える認証サーバと通信可能に接続され、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置の制御方法であって、
前記画像形成装置の読取対象物識別情報送信手段が、前記読取手段によって読み取られた読取対象物の読取対象物識別情報を前記認証サーバに送信する読取対象物識別情報送信ステップと、
前記画像形成装置の権限情報受信手段が、前記読取対象物識別情報送信ステップで前記読取対象物識別情報を送信することで、前記画像形成装置の機能を利用可能とするための前記権限情報を受信する権限情報受信ステップと、
前記画像形成装置の権限情報登録手段が、前記読取対象物識別情報送信ステップでユーザが所有する読取対象物の前記読取対象物識別情報と、当該読取対象物識別情報とは異なる読取対象物識別情報とを送信することで生成された前記権限情報を前記権限情報受信ステップによって受信した場合に、前記ユーザが所有する読取対象物の読取対象物識別情報と、前記権限情報受信ステップによって受信した前記権限情報とを対応づけて前記権限履歴記憶手段に登録する権限情報登録ステップと、
前記画像形成装置の権限情報設定手段が、前記画像形成装置のログインに際して、前記権限情報受信ステップで受信した権限情報に基づいて、前記画像形成装置の機能を利用可能に設定する権限情報設定ステップと
を備え、
前記権限情報設定ステップは、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする画像形成装置の制御方法。
【請求項１０】
読取対象物を識別するための読取対象物識別情報と、画像形成装置において利用可能な機能を示す権限情報とを対応づけて記憶する権限情報記憶手段を備える認証サーバと、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置とが通信可能に接続された情報処理システムの制御方法をコンピュータに実行させるためのコンピュータに読み取り実行可能なプログラムであって、
前記画像形成装置を、
前記読取手段によって読み取られた読取対象物の読取対象物識別情報を前記認証サーバに送信する読取対象物識別情報送信手段と、
前記読取対象物識別情報送信手段で前記読取対象物識別情報を送信することで、前記画像形成装置の機能を利用可能とするための前記権限情報を受信する権限情報受信手段と、
前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、
前記画像形成装置のログインに際して、前記権限情報受信手段で受信した権限情報に基づいて、前記画像形成装置の機能を利用可能に設定する権限情報設定手段
として機能させ、
前記認証サーバを、
前記読取対象物識別情報送信手段によって送信された読取対象物識別情報を受信する読取対象物識別情報受信手段と、
前記読取対象物識別情報受信手段によって受信した読取対象物識別情報に対応する前記権限情報を前記権限情報記憶手段から取得する権限情報取得手段と、
前記読取対象物識別情報受信手段によってユーザが所有する読取対象物の前記読取対象物識別情報と、当該読取対象物識別情報とは異なる読取対象物識別情報とを受信した場合、前記権限情報取得手段によって取得されたそれぞれの権限情報に基づいて、前記画像形成装置に設定するための前記権限情報を生成する権限情報生成手段と、
前記権限情報生成手段によって生成された権限情報を前記画像形成装置に送信する権限送信手段
として機能させ、
前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とするコンピュータに読み取り実行可能なプログラム。
【請求項１１】
読取対象物を識別するための読取対象物識別情報と、画像形成装置において利用可能な機能を示す権限情報とを対応づけて記憶する権限情報記憶手段を備える認証サーバと通信可能に接続され、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置の制御方法をコンピュータに実行させるためのコンピュータに読み取り実行可能なプログラムであって、
前記画像形成装置を、
前記読取手段によって読み取られた読取対象物の読取対象物識別情報を前記認証サーバに送信する読取対象物識別情報送信手段と、
前記読取対象物識別情報送信手段で前記読取対象物識別情報を送信することで、前記画像形成装置の機能を利用可能とするための前記権限情報を受信する権限情報受信手段と、
前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、
前記画像形成装置のログインに際して、前記権限情報受信手段で受信した権限情報に基づいて、前記画像形成装置の機能を利用可能に設定する権限情報設定手段
として機能させ、
前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とするコンピュータに読み取り実行可能なプログラム。
【手続補正２】
【補正対象書類名】明細書
【補正対象項目名】０００１
【補正方法】変更
【補正の内容】
【０００１】
本発明は、画像形成装置を利用するユーザの利用権限に対して追加付与された利用権限を柔軟に取得することが可能な情報処理システムと画像形成装置、その処理方法およびプログラムに関する。
【手続補正３】
【補正対象書類名】明細書
【補正対象項目名】００２０
【補正方法】変更
【補正の内容】
【００２０】
そこで、本発明は、読取対象物を読み取ることで画像形成装置の利用を制限するに際し、通常利用する権限に権限が追加された場合に、権限の取得を柔軟に行える仕組みを提供することを目的としている。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】変更
【補正の内容】
【００２２】
前述した目的を達成するための第１の発明は、読取対象物を識別するための読取対象物識別情報と、画像形成装置において利用可能な機能を示す権限情報とを対応づけて記憶する権限情報記憶手段を備える認証サーバと、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置とが通信可能に接続された情報処理システムであって、前記画像形成装置は、前記読取手段によって読み取られた読取対象物の読取対象物識別情報を前記認証サーバに送信する読取対象物識別情報送信手段と、前記読取対象物識別情報送信手段で前記読取対象物識別情報を送信することで、前記画像形成装置の機能を利用可能とするための前記権限情報を受信する権限情報受信手段と、前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、前記画像形成装置のログインに際して、前記権限情報受信手段で受信した権限情報に基づいて、前記画像形成装置の機能を利用可能に設定する権限情報設定手段とを備え、前記認証サーバは、前記読取対象物識別情報送信手段によって送信された読取対象物識別情報を受信する読取対象物識別情報受信手段と、前記読取対象物識別情報受信手段によって受信した読取対象物識別情報に対応する前記権限情報を前記権限情報記憶手段から取得する権限情報取得手段と、前記読取対象物識別情報受信手段によってユーザが所有する読取対象物の前記読取対象物識別情報と、当該読取対象物識別情報とは異なる読取対象物識別情報とを受信した場合、前記権限情報取得手段によって取得されたそれぞれの権限情報に基づいて、前記画像形成装置に設定するための前記権限情報を生成する権限情報生成手段と、前記権限情報生成手段によって生成された権限情報を前記画像形成装置に送信する権限送信手段とを備え、前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする情報処理システムである。
【手続補正６】
【補正対象書類名】明細書
【補正対象項目名】００２３
【補正方法】変更
【補正の内容】
【００２３】
また、前記画像形成装置は、前記権限情報登録手段によって前記権限履歴記憶手段に登録された前記権限情報の有効期限の入力を受け付ける有効期限受付手段と、前記有効期限受付手段によって入力を受け付けた有効期限を過ぎた場合に、前記権限情報登録手段によって前記権限履歴記憶手段に登録された前記権限情報を前記権限履歴記憶手段から削除する権限削除手段とを更に備えることを特徴とする情報処理システムである。
【手続補正７】
【補正対象書類名】明細書
【補正対象項目名】００２４
【補正方法】変更
【補正の内容】
【００２４】
また、前記権限情報記憶手段は、更に当該読取対象物を所有するユーザが承認者か否かを示す承認者情報を対応づけて記憶し、前記画像形成装置は、前記ユーザが所有する読取対象物の読取対象物識別情報と、前記権限情報受信手段によって受信した前記権限情報とを対応づけて前記権限履歴記憶手段に登録することを許可すべく、前記読取手段によって読み取られた承認者であるユーザの読取対象物の読取対象物識別情報を前記認証サーバに送信する承認者識別情報送信手段を更に備え、前記権限情報登録手段は、前記承認者識別情報送信手段によって前記読取対象物識別情報を送信することで、前記権限情報記憶手段に記憶された承認者情報に基づいて承認者であるという結果を前記認証サーバから受信すると、前記ユーザが所有する読取対象物の読取対象物識別情報と、前記権限情報受信手段によって受信した前記権限情報とを対応づけて前記権限履歴記憶手段に登録することを特徴とする情報処理システムである。
【手続補正８】
【補正対象書類名】明細書
【補正対象項目名】００２５
【補正方法】変更
【補正の内容】
【００２５】
また、前記認証サーバは、前記読取対象物識別情報受信手段によって受信した読取対象物識別情報が１つであった場合に、前記読取手段で前記受信した読取対象物識別情報に対応する読取対象物とは異なる読取対象物の読取対象物識別情報の読み取りを前記画像形成装置に対して要求する追加読取要求手段を更に備え、前記読取手段は、前記追加読取要求手段によって読取対象物の読み取りを要求された場合には、追加の読取対象物の読み取りを受け付けることを特徴とする情報処理システムである。
【手続補正９】
【補正対象書類名】明細書
【補正対象項目名】００２６
【補正方法】変更
【補正の内容】
【００２６】
また、前記認証サーバは、前記読取対象物識別情報送信手段によって送信されたユーザが所有する読取対象物の読取対象物識別情報が前記権限情報記憶手段に記憶されている場合に、認証成功を示す認証結果を前記画像形成装置に送信する認証結果送信手段を更に備え、前記画像形成装置は、前記認証結果送信手段によって送信された認証結果を受信すると、前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする情報処理システムである。
【手続補正１０】
【補正対象書類名】明細書
【補正対象項目名】００２７
【補正方法】変更
【補正の内容】
【００２７】
また、前記読取対象物識別情報受信手段によってユーザが所有する読取対象物の前記読取対象物識別情報とは異なる読取対象物識別情報を持つ読取対象物は、前記画像形成装置において利用可能な機能を追加するための読取対象物であることを特徴とする情報処理システムである。
【手続補正１１】
【補正対象書類名】明細書
【補正対象項目名】００２８
【補正方法】変更
【補正の内容】
【００２８】
第２の発明は、読取対象物を識別するための読取対象物識別情報と、画像形成装置において利用可能な機能を示す権限情報とを対応づけて記憶する権限情報記憶手段を備える認証サーバと通信可能に接続され、前記読取対象物から前記読取対象物識別情報を読み取る読取手段と、画像形成装置のログインに際して使用する前記権限情報とログインするユーザが所有する読取対象物の前記読取対象物識別情報とを対応づけて記憶する権限履歴記憶手段とを備える画像形成装置であって、前記読取手段によって読み取られた読取対象物の読取対象物識別情報を前記認証サーバに送信する読取対象物識別情報送信手段と、前記読取対象物識別情報送信手段で前記読取対象物識別情報を送信することで、前記画像形成装置の機能を利用可能とするための前記権限情報を受信する権限情報受信手段と、前記読取対象物識別情報送信手段でユーザが所有する読取対象物の前記読取対象物識別情報と、当該読取対象物識別情報とは異なる読取対象物識別情報とを送信することで生成された前記権限情報を前記権限情報受信手段によって受信した場合に、前記ユーザが所有する読取対象物の読取対象物識別情報と、前記権限情報受信手段によって受信した前記権限情報とを対応づけて前記権限履歴記憶手段に登録する権限情報登録手段と、前記画像形成装置のログインに際して、前記権限情報受信手段で受信した権限情報に基づいて、前記画像形成装置の機能を利用可能に設定する権限情報設定手段とを備え、前記権限情報設定手段は、前記画像形成装置におけるログインに際して前記読取手段によって読み取られた前記読取対象物識別情報が前記権限履歴記憶手段に登録されているか否かを判定し、当該読取対象物識別情報が前記権限履歴記憶手段に登録されていると判定された場合には、前記権限履歴記憶手段に登録された当該読取対象物識別情報に対応する前記権限情報に基づいて、前記画像形成装置の機能を利用可能に設定することを特徴とする画像形成装置である。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】変更
【補正の内容】
【００３６】
また、本発明は、前記情報処理システム、前記画像形成装置における処理方法とプログラムである。
【手続補正２０】
【補正対象書類名】明細書
【補正対象項目名】００３７
【補正方法】変更
【補正の内容】
【００３７】
読取対象物を読み取ることで画像形成装置の利用を制限するに際し、通常利用する権限に権限が追加された場合に、追加された権限を画像形成装置に備えられた権限履歴記憶手段に格納する。そうすることで、次回ログイン時に権限履歴記憶手段から追加された権限を取得することができるので、権限の取得を柔軟に行える。
【手続補正２１】
【補正対象書類名】明細書
【補正対象項目名】００３８
【補正方法】削除
【補正の内容】